(57)【要約】【課題】動作の要求に応じた設計自由度の高い回転型スイッチを提供する。【解決手段】回転子７０はそのディスク部７２に複数の同心円で規定される複数の環状帯のそれぞれにおいて所定の数の所定の角度幅の接触領域を有する上側及び下側接触片７Ｃ１，７Ｃ２が互いに重ねられ、それぞれディスク部の一方と他方の面に露出するようインサート成型され、上側接触子ホルダ８０と下側接触子ホルダ６０は、回転子のディスク部の下半分と上半部に被せられ、ディスク部の下側及び上側面に複数の環状帯でそれぞれ弾性的に接触する複数の弾性コンタクトを有しており、回動操作軸１０は回転子、下側接触子ホルダ、上側接触子ホルダをそれぞれ挿通し、回転子を回動可能としている。【選択図】図１
2010218883.tif 000002
【特許請求の範囲】
【請求項１】
円板状のディスク部と、その中心に軸穴が形成された回動軸を有し、上記ディスク部に複数の第１の同心円で規定される複数の第１の環状帯のそれぞれにおいて所定の数の所定の角度幅の接触領域を有する金属の第１接触片と複数の第２の同心円で規定される複数の第２の環状帯のそれぞれにおいて所定の数の所定の角度幅の接触領域を有する金属の第２接触片が互いに重ねられ、それぞれ上記ディスク部の一方と他方の面に露出するようインサート成型された回転子と、
上記ディスク部の軸方向ほぼ１半分を収容する第１回転子収容凹部を有し、上記ディスク部の一方の面に上記複数の第１の環状帯でそれぞれ弾性的に接触する複数の第１弾性コンタクトを有する第１接触子ホルダと、
上記第１接触子ホルダに取り付けられ、上記ディスク部の軸方向ほぼ他半分を収容する第２回転子収容凹部を有し、上記ディスク部の他方の面に上記複数の第２の環状帯でそれぞれ弾性的に接触する複数の第２弾性コンタクトを有する第２接触子ホルダと、
上記第１ホルダと、上記回転子の回動軸と、上記第２ホルダとを挿通し、上記回転子を回動可能な回動操作軸、
とを含むことを特徴とする回転型スイッチ。
【請求項２】
請求項１記載の回転型スイッチにおいて、上記第１及び第２接触片は、型抜きされた１枚の金属板を折り曲げ形成されたものであることを特徴とする回転型スイッチ。
【請求項３】
請求項１又は２記載の回転型スイッチにおいて、更に、
円形のクリック円板収容凹部が形成されたハウジング部を有する軸受と、
上記クリック円板収容凹部に収容され、中心に軸穴を有し、一面に放射状に延びる凹凸が形成されたクリック円板と、
上記クリック円板の凹凸に弾性的に係合する少なくとも１つの係合突起を有するリング状のクリックバネ、
とを含み、
上記第１接触子ホルダは上記ハウジング部に取り付けられ、上記回動操作軸は更に上記軸受及びクリック円板を挿通し、上記回転子と共に上記クリック円板を回動可能とされていることを特徴とする回転型スイッチ。
【請求項４】
請求項３記載の回転型スイッチにおいて、上記回動軸の一端に切欠きが形成されており、上記クリック円板の軸穴には中心に向かって突出した係合キーが形成されており、上記回動軸の上記一端は上記クリック円板の軸穴に挿入され、上記切欠きと上記係合キーが互いに係合していることを特徴とする回転型スイッチ。
【請求項５】
請求項３記載の回転型スイッチにおいて、上記第１ホルダは上記第１回転子収容凹部と上記第１弾性コンタクトを有する第１接触子ホルダと、上記第１回転子収容凹部を覆う一方の面と、上記クリックバネを支持する他方の面を有し、上記第１回転子収容凹部に連通する軸穴が形成されたクリックバネ支持板とから構成されていることを特徴とする回転型スイッチ。
【請求項６】
請求項３記載の回転型スイッチにおいて、上記第２ホルダは上記第２回転子収容凹部と上記第２弾性コンタクトを有する第２接触子ホルダと、上記第２回転子収容凹部を覆う面を有し、上記第２回転子収容凹部に連通する軸穴が形成されたカバーとから構成されていることを特徴とする回転型スイッチ。
【発明の詳細な説明】
【技術分野】
【０００１】
この発明は操作軸が回転により、複数の端子間のスイッチの開閉を行う回転型スイッチに関する。
【背景技術】
【０００２】
近年の携帯電子機器は多彩な機能を搭載することが求められる場合が多い。その機能の操作の１つの手段として回転型スイッチが使用される。従って、回転型スイッチに対しても、様々な操作に対応してスイッチの数、それぞれのスイッチの開閉（オフ、オン）の相対タイミング（相対角度位置）、複数スイッチの開閉の組み合わせ、操作感覚（クリック感）等の様々な要求がある。
【０００３】
図７は特許文献１に示されている従来の回転型スイッチの例である。この従来例では、ほぼ正方形の絶縁ボディ１１０の中央に円形の収容凹部２３０が形成され、その床面には、中央に直立した支持軸２４０と、その支持軸２４０を囲むリング状のコモン接触片２９０と、そのコモン接触片２９０の外側に周方向に配列された複数の固定接触片２２０が設けられている。それらのコモン接触片２９０と固定接触片２２０はそれぞれ絶縁ボディ１１０の側縁まで延長され、それぞれ外部端子とされている。
【０００４】
回動操作ノブ１２０は操作軸５７０と、操作軸５７０と一体形成された環状クリック板４４０を有し、環状クリック板４４０の上面には一定の角度間隔に段部４９０と凹部５１０が交互に形成されている。この環状クリック板４４０の下面に回動接触子１３０が固定され、回動操作ノブ１２０は絶縁ボディ１１０の収容凹部２３０内に、支持軸２４０に回動自在に支持されて収容される。
【０００５】
バネ製の金属板を打ち抜いて形成される円形の回動接触子１３０は中央に窓を有し、その窓内に支持軸２４０を間に挟むように二股ホーク状のコモン摺動子７９０が突出形成されている。これらコモン摺動子７９０の先端部はコモン接触片２９０と弾性的に接触する。回動接触子１３０の周縁部に周方向にスリットを切り込んで形成した２本の弧状接触片の中央部がそれぞれ下方に突出され切替接点６８０が形成され、これら切替接点６８０は固定接触片２２０の配列上を摺動して任意の１つと弾性的に接触する。
【０００６】
回動操作ノブ１２０の環状クリック板４４０の上にはリング状板バネ１４０が載せられる。リング状板バネ１４０には、その直径上の２箇所で外周縁から外側に延長された固定端子８３０が形成されており、それら固定端子８３０は中間部で９０°下方に曲げられ、絶縁ボディ１１０の上面の対角角部に形成された係合穴２５０に挿入固定される。
【０００７】
リング状板バネ１４０は２つの固定端子８３０を通る直径方向と直交する直径上の２箇所で下方に突出形成された係合突起８４０を有し、係合突起８４０が回動操作ノブ１２０の回動により環状クリック板４４０の段部４９０をバネ力に抗して乗り越え、バネ力により凹部５１０に落ち込むことにより、回動操作ノブ１２０の回動操作時にクリック感を生じさせる。
【０００８】
ほぼ正方形の金属ケース１５０は中央に形成された軸穴９２０を通して操作軸５７０を外に突出させると共に、リング状板バネ１４０の上から絶縁ボディ１１０の収容凹部２３０を塞いで絶縁ボディ１１０に固定される。
【先行技術文献】
【特許文献】
【０００９】
【特許文献１】特開2008-166158号公報
【発明の概要】
【発明が解決しようとする課題】
【００１０】
この従来の回転型スイッチでは、外に突出した操作軸５７０を回転することによりコモン接触片２９０と選択した１つの固定接触片２２０との導通がなされ、対応する２つの外部端子間が導通される。コモン接触片２９０と同時に導通となる固定接触片２２０は常に１つである。固定接触片２２０の周方向の数、及び周方向の長さ（角度幅）を変えることにより選択できる固定接触片２２０の数、同一固定接触片と導通を保つ回動操作ノブ１２０の回動角度幅、を所望に設定することができるが、図７の例では複数の固定接触片２２０と同時に導通させることはできない。２つの切替接点６８０の周方向角度位置をずらせば、複数の固定接触片２２０と同時に導通可能とできるが、同一床面に配置できる固定接触片２２０の形状、配置パターンなどの多様性には限界があり、携帯電子機器に要求される複雑な機能操作に十分対応できないこともある。この発明の目的は、多様な機能操作に対応できるよう、複数スイッチの開閉の組み合わせ、開閉の相対角度位置、閉状態の角度幅、などを多様に設計可能な回転型スイッチを提供することである。
【課題を解決するための手段】
【００１１】
この発明による回転型スイッチは、円板状のディスク部と、その中心に軸穴が形成された回動軸を有し、ディスク部に複数の第１の同心円で規定される複数の第１の環状帯のそれぞれにおいて所定の数で所定の角度幅の接触領域を有する金属の第１接触片と複数の第２の同心円で規定される複数の第２の環状帯のそれぞれにおいて所定の数の所定の角度幅の接触領域を有する金属の第２接触片が互いに重ねられ、それぞれディスク部の一方と他方の面に露出するようインサート成型された回転子と、ディスク部の軸方向ほぼ１半分を収容する第１回転子収容凹部を有し、ディスク部の一方の面に複数の第１の環状帯でそれぞれ弾性的に接触する複数の第１弾性コンタクトを有する第１接触子ホルダと、第１接触子ホルダに取り付けられ、ディスク部の軸方向ほぼ他半分を収容する第２回転子収容凹部を有し、ディスク部の他方の面に複数の第２の環状帯でそれぞれ弾性的に接触する複数の第２弾性コンタクトを有する第２接触子ホルダと、第１ホルダと回転子の回動軸と第２ホルダとを挿通し、回転子を回動可能な回動操作軸とを含むように構成されている。
【発明の効果】
【００１２】
この発明によれば、回転子のディスク部の上側面と下側面において別々に半径方向に異なる環状領域においてそれぞれ別々に３６０°内で接触片領域を決めることができるので、複数のスイッチの開閉の角度範囲、相対タイミングを要求に応じて設計できる自由度が高い。
【図面の簡単な説明】
【００１３】
【図１】この発明による回転型スイッチの第１実施形態の分解斜視図。
【図２】Ａはクリックバネとそれを取り付ける前のクリックバネ支持板の斜視図、Ｂは取り付けた後の斜視図。
【図３】Ａは回転子の上面図、Ｂは断面図、Ｃは下面図。
【図４】Ａは上側及び下側接触片の連結パターンを示す図、Ｂは連結パターンを折り重ねて形成した摺動接触片を示す図。
【図５】Ａは上側回転子ホルダの上面図、Ｂは下側回転子ホルダの下面図。
【図６】この発明による回転型スイッチの第２実施形態の分解斜視図。
【図７】従来の回転型スイッチの分解斜視図。
【発明を実施するための形態】
【００１４】
以下、本発明の実施形態について詳細に説明する。
［第１実施形態］
図１はこの発明による回転型スイッチの第１実施形態を示す。この実施形態の回転型スイッチは回動操作軸１０と、軸受２０と、クリック円板３０と、クリックバネ４０と、クリックバネ支持板５０と、下側接触子ホルダ６０と、回転子７０と、上側接触子ホルダ８０と、カバー９０と、その他の部品から構成される。
【００１５】
回動操作軸１０は金属棒を加工して形成され、操作部１１と、その先端から同軸に延長され、操作部１１より径の細い保持部１２と、保持部１２の先端より同軸に延長され、保持部１２より径の細い駆動部１３とを有している。保持部１２の先端に隣接して外周面に環状溝１２ａが形成されている。駆動部１３には中心軸線と平行に切り落とされて形成された少なくとも１つの平面１３ａが形成されている。図の例では２つの互いに平行な平面が形成されている。
【００１６】
軸受２０には、中心に回動操作軸１０の保持部１２が回動自在に挿通される軸穴２４が形成されている。軸受２０は取付け用ネジが外周に形成された円筒部２１と、円筒部２１の一端に一体に形成された矩形のハウジング部２２とを有している。ハウジング部２２の上面には一組の対角角部に位置決め穴２２ａと、もう一組の対角角部に固定穴２２ｂが形成されている。更に、ハウジング部２２の上面中央には円筒部２１と同軸に円形のクリック円板収容凹部２３が形成されており、その底面に軸穴２４が開通している。軸受２０に挿通された回動操作軸１０の保持部１２の先端部がクリック円板収容凹部２３の底面から突出し、その先端部の環状溝１２ａにリング１２Ａを装着して抜け止めとされている。
【００１７】
クリック円板３０はその中心部に軸部３１を有し、その軸部３１の外側の上面には図６の従来技術の環状クリック板４４と同様に放射状に伸びる凸条３２により、周方向に凹凸が配列形成されている。軸部３１には軸方向に回転子７０の回動軸７１が挿入される軸穴３３が形成されており、この軸穴３３の内周の一箇所から中心に向かって突出し、かつ、軸方向に伸びる係合キー３４が形成されている。
【００１８】
環状のクリックバネ４０はバネ性の金属板を打ち抜いて形成し、環状部の１つの直径上の２箇所にクリック円板３０に向けて突出した係合突起４１が形成されており、更にその直径と直角なもう１つの直径上の二箇所からその直径の延長線上を互いに外側に延長された２つの固定端子４２を有している。固定端子４２は中間部で板面に対しほぼ４５°にクリック円板３０と反対側に曲げられている。このクリックバネ４０は図６の従来技術におけるものとほとんど同じであるが、従来では固定端子は９０°曲げていたのに対し、この実施形態では４５°曲げられており、それにより、後述のクリックバネ支持板５０の係止溝５５に対する係合を浅くでき、従って、クリックバネ支持板５０の厚さを薄くできる。
【００１９】
クリックバネ４０はクリックバネ支持板５０の下面に取り付けられる。図２Ａ，２Ｂはクリックバネ４０の取り付け前と後の斜視図を示している。ただし、ここでは図１におけるクリックバネ４０とクリックバネ支持板５０の組を、中心線５Ｘを中心に１８０°回転して示している。クリックバネ支持板５０はハウジング部２２と同じ矩形であり、その下面にリング状のクリックバネ４０を受ける環状凹部５２が形成され、中央に軸穴５１が形成されている。軸穴５１の径は後述の回転子７０の回動軸７１が回動自在に挿通できる径とされている。クリックバネ支持板５０の一辺に隣接して２つの位置決め穴５３ａが形成され、一組の対角角部にはそれぞれ固定穴５３ｂが形成され、もう一組の対角角部の下面にはそれぞれ位置決め突起５４が形成されている。
【００２０】
クリックバネ４０の２つの固定端子４２は支持板５０の固定穴５３ｂから中心方向に延びて形成された係止溝５５に挿入係止される。その状態でクリックバネ支持板５０はその軸穴５１に駆動部１３を挿通させ、クリック円板３０を収容したクリック板収容凹部２３を上から塞いでハウジング部２２の上面に取り付けられる。このとき、クリックバネ支持板５０の固定用突起５４はハウジング部２２の上面の位置決め穴２２ａに圧入固定される。
【００２１】
図３Ａは回転子７０の上面図、図３Ｂは図３Ａにおける３Ｂ−３Ｂ線に沿った断面図、図３Ｃは図３Ａにおける３Ｂ−３Ｂ線を中心に１８０°回転した下面図を示す。回転子７０は回動軸７１と，回動軸７１の長さ方向中間に位置し、回動軸７１と同軸のディスク部７２と、ディスク部７２に保持された摺動接触片７Ｃとが一体にインサート成型により形成されている。回動軸７１にはクリック円板３０の軸穴３３と同じ断面形状の軸穴７３が形成されている。更に、回動軸７１の下端の一円弧部が下端から軸方向に予め決めた長さだけ切除された切欠き部７４が形成されている。この切欠き部７４は、回動軸７１が軸穴５１を通してクリック円板３０の軸穴３３内の係合キー３４と嵌合し、これにより回動軸７１が、切欠き部７４の軸方向長さだけ軸穴３３ａに挿入される。
【００２２】
摺動接触片７Ｃは上側接触片７Ｃ１と下側接触片７Ｃ２から成り、図４Ａに示すように１枚の金属板を打ち抜いて得られる互いに連結された上側、下側接触片７Ｃ１，７Ｃ２のパターンを図４Ｂのように連結部７Ｃｃで折り曲げ、下側接触片７Ｃ２を上側接触片７Ｃ１の下側に重ね合わせることにより形成される。
【００２３】
この実施形態では、上側、下側接触片７Ｃ１，７Ｃ２は図４Ｂに破線で示す共通の円Ｃ１に内接するパターンに形成され、その円Ｃ１と同心で、径が順次小さくなる円Ｃ２，Ｃ３，Ｃ４によりそれぞれ挟まれた幅を有する互いに隣接した環状帯Ｂ１，Ｂ２，Ｂ３を規定し、これら環状帯Ｂ１，Ｂ２，Ｂ３内でそれぞれ周方向に所望の長さ（角度範囲）の所望の数の円弧領域をそれぞれ接触片領域とする接触片のパターンが予め決められている。
【００２４】
図３Ａの上側接触片７Ｃ１では、環状帯Ｂ１は、予め決めた角度範囲の１つの接触片領域C1aと、残りの角度範囲の空領域G1aにより埋められている。環状帯Ｂ２は、それぞれ予め決めた角度範囲の２つの接触片領域C1b1, C1b2と、それら２つの接触片領域の隣接間の空領域G1b1, G1b2とにより埋められている。環状帯Ｂ３は、１つ（３６０°）の空領域G1cにより埋められている。接触片領域C1a, C1b1, C1b2は接触片７Ｃ１の金属表面が露出している領域であり、空領域G1a, G1b1, G1b2, G1cは接触片領域の表面と同一面内にあるディスク部７２の絶縁体表面である。
【００２５】
一方、図３Ｃに示す下側接触片７Ｃ２では、環状帯Ｂ１は、それぞれ予め決めた角度範囲の４つの接触片領域C2a1, C2a2, C2a3, C2a4と、それら４つの接触片領域の隣接間の空領域G2a1, G2a2, G2a3, G2a4により埋められている。環状帯Ｂ２は、それぞれ予め決めた角度範囲の２つの接触片領域C2b1, C2b2と、それら２つの接触片領域の隣接間の空領域G2b1, G2b2とにより埋められている。環状帯Ｂ３は、１つ（３６０°）の接触片領域C2cにより埋められている。接触片領域C2a1, C2a2, C2a3, C2a4, C2b1, C2b2, C2cは接触片の金属表面が露出している領域であり、空領域G2a1, G2a2, G2a3, G2a4, G2b1, G2b2は接触片領域の表面と同一面内にあるディスク部７２の絶縁体表面である。
【００２６】
この実施形態においては、上側接触子ホルダ８０と下側接触子ホルダ６０は全く同じ構造であり、同一の部品として形成した接触子ホルダを上下の向きを変えて上側用、下側用として使用することができる。同様に、カバー９０とクリックバネ支持板５０は全く同じ構造である。このように同一構造とすることによりスイッチの製造コストを下げることができる。
【００２７】
図５Ａは上側接触子ホルダ８０の上面と、その下に見える回転子７０の上面の一部を示している。ハウジング部２２と同じほぼ矩形の上側接触子ホルダ８０の下面には円形の回転子収容凹部８２が形成され、その回転子収容凹部８２の天井にはほぼ矩形の窓８１が形成されている。上側接触子ホルダ８０の一側辺に隣接する回転子収容凹部８２の側壁部には、その下面から下側接触子ホルダ６０の側に突出する係合凸部８５と、その係合凸部８５と隣接して同じ幅で側壁部が切り取られた係合凹部８６が形成されている。上側接触子ホルダ８０の一組の対角角部には位置決め穴８４ａが形成され、もう一組の対角角部には固定穴８４ｂが形成されている。更に、端子８Ｔ１，８Ｔ２，８Ｔ３が導出されている一側辺に隣接して２つの位置決め突起８３が形成されている。
【００２８】
上側接触子ホルダ８０は、３つの弾性コンタクト8C1, 8C2, 8C3とそれらから一体に延長され、上側接触子ホルダ８０の一側面から外に突出された端子8T1, 8T2, 8T3と共にインサート成型により形成される。３つの弾性コンタクト8C1, 8C2, 8C3は窓８１の縁から内側に延び、それらの先端はそれぞれ、回転子７０の摺動接触片７Ｃに規定した環状帯Ｂ１，Ｂ２，Ｂ３の上に位置している。この例では各弾性コンタクト8C1, 8C2, 8C3はそれぞれ２つの分岐腕を有し、各環状帯において２点接触させることにより接触の安定性（信頼性）と寿命を高めている。
【００２９】
図５Ｂは下側接触子ホルダ６０の下面と、その上に見える回転子７０の下面の一部を示している。前述のように、下側接触子ホルダ６０の構造は上側接触子ホルダ８０とまったく同じである。下側接触子ホルダ６０の上面には円形の回転子収容凹部６２が形成され、その回転子収容凹部６２の床にはほぼ矩形の窓６１が形成されている。下側接触子ホルダ６０の一側辺に隣接する回転子収容凹部６２の側壁部には、その下面から上側接触子ホルダ８０の側に突出する係合凸部６５と、その係合凸部６５と隣接して同じ幅で側壁部が切り取られた係合凹部６６が形成されている。下側接触子ホルダ６０の一組の対角角部には位置決め穴６４ａが形成され、もう一組の対角角部には固定穴６４ｂが形成されている。更に、端子６Ｔ１，６Ｔ２，６Ｔ３が導出されている一側辺に隣接して２つの位置決め突起６３が形成されている。
【００３０】
下側接触子ホルダ６０は３つの弾性コンタクト6C1, 6C2, 6C3とそれから一体に延長され、下側接触子ホルダ６０の一側面から外に突出された端子6T1, 6T2, 6T3と共にインサート成型により形成される。３つの弾性コンタクト6C1, 6C2, 6C3は窓６１の縁から内側に延び、それらの先端はそれぞれ、回転子７０の摺動接触片７Ｃに規定した環状帯Ｂ１，Ｂ２，Ｂ３の上に位置している。各弾性コンタクト6C1, 6C2, 6C3はそれぞれ２つの分岐腕を有し、各環状帯において２点接触する。
【００３１】
下側接触子ホルダ６０の位置決め突起６３がクリックバネ支持板５０の位置決め穴５３ａに嵌合され、クリックバネ支持板５０の上に下側接触子ホルダ６０が位置決め固定される。その上から、下側接触子ホルダ６０の回転子収容凹部６２内に回転子７０のディスク部７２のほぼ下半分を配置するように、回転子７０の軸穴７３に回動操作軸１０の駆動部１３を挿通させつつ、回動軸７１の下端部をクリックバネ支持板５０の軸穴５１を通してクリック円板３０の軸穴３３に挿入係合させる。
【００３２】
その回転子７０のディスク部７２のほぼ上半分を上側接触子ホルダ８０の回転子収容凹部８２に収容するように、回転子７０の上から上側接触子ホルダ８０を被せ、下側接触子ホルダ６０に重ねて固定する。このとき上側接触子ホルダ８０の係合凸部８５と係合凹部８６が下側接触子ホルダ６０の係合凹部６６と係合凸部６５にそれぞれ嵌合し、互いに位置決めされる。更に、カバー９０の軸穴９１に回転子７０の回動軸７１の上端部を挿入させて上側接触子ホルダ８０の上からカバー９０を重ねて位置決め突起９４を位置決め穴８４ａに嵌合し、位置決め穴９３ａに位置決め突起８３を嵌合する。これにより下側接触子ホルダ６０の弾性コンタクト6C1, 6C2, 6C3は回転子７０のディスク部７２の下面と弾性的に接触維持され、上側接触子ホルダ８０の弾性コンタクト8C1, 8C2, 8C3は回転子７０のディスク部７２の上面と弾性的に接触維持される。
【００３３】
このようにして部品を合体した状態で、カバー９０の固定穴９３ｂ、上側接触子ホルダ８０の固定穴８４ｂ、下側接触しホルダ６０の固定穴６４ｂ、クリックバネ支持板５０の固定穴５３ｂ、軸受２０の固定穴２２ｂに２本の固定ピン８を挿通してピン８の先端をリベットでつぶし、互いに一体に固定する。
【００３４】
このようにして回転型スイッチを組み立てることにより、駆動部１３は、クリック円板３０、クリックバネ支持板５０、を挿通した回転子７０の回動軸７１の軸穴７３に挿通され、カバー９０の軸穴９１内で支持される。回転子７０の軸穴７３の軸心と直角な断面は駆動部１３の断面と同じように円の弧を直線で切り取った形状をしており、従って、回動操作軸１０の回動により回転子７０が回動されると共にクリック円板３０も回動される。その結果、クリックバネ支持板５０に固定されているクリックバネ４０の突起４１が回動するクリック円板３０の放射状凹凸と係合して回動操作軸１０の回動操作時にクリック感を生じさせ、また、回転子７０の上側及び下側面の接触片７Ｃ１，７Ｃ２と、上側及び下側接触子ホルダの弾性コンタクト8C1, 8C2, 8C3及び6C1, 6C2, 6C3との間で摺動接触、乖離を生じさせることができる。
【００３５】
以上の説明から理解されるように、従来では１つの固定接触片の周方向長さ（角度幅）を３６０°内で決めると、他の固定接触片の周方向長さは残りの角度内で決めなければならないので、設計の自由度が狭い。それに対し、この発明では回転子７０のディスク部の上側面と下側面において別々に半径方向に異なる環状領域においてそれぞれ別々に３６０°内で接触片領域を決めることができるので、設計自由度が高い利点がある。つまり、複数のスイッチの開閉の角度範囲、相対タイミングを要求に応じて設計できる自由度が高い。
【００３６】
上述の実施形態では、回転子７０の上側及び下側面の接触片７Ｃ１，７Ｃ２に対し共通に環状帯Ｂ１，Ｂ２，Ｂ３を規定する場合を示したが、環状帯の数、及び幅を上側及び下側に対し別々に規定し、上側接触子ホルダ８０及び下側接触子ホルダ６０の弾性コンタクトの数、及び配置をそれぞれ側の環状帯に合わせて決めてもよいことは当然である。
［第２実施形態］
図６はこの発明による回転型スイッチの第２実施形態を示す。前述の第１実施形態では、下側接触子ホルダ６０を弾性コンタクト６Ｃ１，６Ｃ２，６Ｃ３と共にインサート成型により一体形成してから窓６１内で弾性コンタクト６Ｃ１，６Ｃ２，６Ｃ３を所望の角度に折り曲げるため、下側接触子ホルダ６０とクリックバネ支持板５０とは別体にしたが、弾性コンタクト６Ｃ１，６Ｃ２，６Ｃ３を予め所定の角度に曲げた上体で下側接触子ホルダ６０をインサート成型できる場合は、図６中に示すように下側接触子ホルダ６０とクリックバネ支持板５０を互いに一体とした下側接触子ホルダ（第１ホルダ）６０’として形成してもよい。同様に、第１実施形態における上側接触子ホルダ８０とカバー９０も図６に示すように互いに一体とした上側ホルダ（第２ホルダ）８０’として形成してもよい。その他の構成は第１実施形態と同様なので説明を省略する。
【図１】
2010218883.tif 000003
【図２】
2010218883.tif 000004
【図３】
2010218883.tif 000005
【図４】
2010218883.tif 000006
【図５】
2010218883.tif 000007
【図６】
2010218883.tif 000008
【図７】
2010218883.tif 000009